(57)【要約】【課題】テーブルの利便性を向上させること。【解決手段】テーブル移動機構３は、テーブル２をシートバック１１０の背裏部１１１に対してシート幅方向に延びる軸２２Ｃ回りの回転によりをシートバック１１０の背裏部１１１に重ね合わせ状に収納する収納位置Ｐ１（収納回転位置Ｐａ）と同収納位置Ｐ１から後側に略水平状に張り出させる展開位置Ｐ２（展開回転位置Ｐｂ）とに切り換えることのできる回転機構２０を有する。回転機構２０が、テーブル２を展開回転位置Ｐｂよりも前側に斜めに起し上げてシートバック１１０の背裏部１１１との間に上向きに開口する隙間Ｔの形成される斜め上がりの回転位置Ｐｃに保持することのできる回転位置保持部（展開規制部２３）を有する。【選択図】図４
2019048506.tif 000002
【特許請求の範囲】
【請求項１】
乗物用シートのシートバックの背裏部から後側に略水平状に張り出す形となって使用されるテーブルと、該テーブルを前記シートバックの背裏部に重ね合わせ状に収納した収納位置と該収納位置から後側に回転させて略水平状に張り出させる形に展開した展開位置との間で移動させることのできるテーブル移動機構と、を有する乗物用テーブル装置であって、
前記テーブル移動機構は、前記テーブルを前記乗物用シートに取り付けられたベースに対してシート幅方向に延びる軸回りに回転させて前記収納位置に対応する収納回転位置と前記展開位置に対応する展開回転位置とに切り換えることのできる回転機構を有し、
該回転機構が、前記テーブルを前記展開回転位置よりも前側に斜めに起し上げて前記シートバックの背裏部との間に上向きに開口する隙間の形成される斜め上がりの回転位置に保持することのできる回転位置保持部を有する乗物用テーブル装置。
【請求項２】
請求項１に記載の乗物用テーブル装置であって、
前記テーブル移動機構が、更に、前記テーブルの前記ベースに対する高さ方向の位置を変えることのできる上下移動機構を有し、
前記回転機構が、前記テーブルを前記シートバックの背裏部から後倒し状に回転させて前記展開回転位置へと展開させ、前記テーブルの前記収納位置が、前記上下移動機構により前記展開位置よりも下げられた低位置に設定されている乗物用テーブル装置。
【請求項３】
請求項２に記載の乗物用テーブル装置であって、
前記上下移動機構が、前記テーブルを前記ベースに対して高さ方向に移動させた任意の位置で止めることのできる高さ位置保持部を有する乗物用テーブル装置。
【請求項４】
請求項２又は請求項３に記載の乗物用テーブル装置であって、
前記上下移動機構が、前記ベースに固定されて高さ方向に延びるスライドレールと、前記テーブルが取り付けられて前記スライドレールに沿ってスライド可能となるようガイドされたスライダと、を有し、前記スライドレールが、前記シートバックのシート幅方向の中央位置に配置されている乗物用テーブル装置。
【請求項５】
請求項２から請求項４のいずれかに記載の乗物用テーブル装置であって、
前記上下移動機構が、前記テーブルを前記展開回転位置の状態で高さ方向に位置調節することのできるテーブル使用領域と、該テーブル使用領域を越えて前記テーブルを下側へ移動させることのできるテーブル不使用領域と、を有し、
前記テーブル移動機構が、更に、前記テーブル不使用領域において前記回転機構による前記テーブルの展開回転を前記展開回転位置に達する前の途中回転位置までに規制する展開規制部を有する乗物用テーブル装置。
【請求項６】
請求項２から請求項５のいずれかに記載の乗物用テーブル装置であって、
前記テーブル移動機構が、更に、前記テーブルが前記収納回転位置にある状態では前記上下移動機構による前記テーブルの高さ方向の移動を規制し、前記テーブルが前記収納回転位置から展開方向に回されることにより高さ方向の移動規制状態を解除するロック部を有する乗物用テーブル装置。
【請求項７】
請求項１から請求項６のいずれかに記載の乗物用テーブル装置であって、
更に、前記テーブルに設けられて前記テーブルの裏面側から熱放射を行う熱源を有する乗物用テーブル装置。
【発明の詳細な説明】
【技術分野】
【０００１】
本発明は、乗物用テーブル装置に関する。詳しくは、乗物用シートのシートバックの背裏部から後側に略水平状に張り出す形となって使用されるテーブルと、テーブルをシートバックの背裏部に重ね合わせ状に収納した収納位置と収納位置から後側に回転させて略水平状に張り出させる形に展開した展開位置との間で移動させることのできるテーブル移動機構と、を有する乗物用テーブル装置に関する。
【背景技術】
【０００２】
従来、乗物用テーブル装置として、シートバックの背裏部に後部側座席の着座者が使用可能なテーブルが展開収納可能に設けられた構成が知られている（特許文献１）。上記テーブルの裏面部には、ヒータが備え付けられており、同ヒータから発せられる温熱が着座者の膝部へと当てられるようになっている。
【先行技術文献】
【特許文献】
【０００３】
【特許文献１】実開平１−８５１３０号公報
【発明の概要】
【発明が解決しようとする課題】
【０００４】
上記従来技術では、テーブルが展開された１つの位置でしか使用できないようになっているため、利便性の低い構成となっている。本発明は、上記問題を解決するものとして創案されたものであって、本発明が解決しようとする課題は、テーブルの利便性を向上させることにある。
【課題を解決するための手段】
【０００５】
上記課題を解決するために、本発明の乗物用テーブル装置は次の手段をとる。
【０００６】
第１の発明は、乗物用シートのシートバックの背裏部から後側に略水平状に張り出す形となって使用されるテーブルと、テーブルをシートバックの背裏部に重ね合わせ状に収納した収納位置と収納位置から後側に回転させて略水平状に張り出させる形に展開した展開位置との間で移動させることのできるテーブル移動機構と、を有する乗物用テーブル装置である。テーブル移動機構は、テーブルを乗物用シートに取り付けられたベースに対してシート幅方向に延びる軸回りに回転させて収納位置に対応する収納回転位置と展開位置に対応する展開回転位置とに切り換えることのできる回転機構を有する。回転機構が、テーブルを展開回転位置よりも前側に斜めに起し上げてシートバックの背裏部との間に上向きに開口する隙間の形成される斜め上がりの回転位置に保持することのできる回転位置保持部を有する。
【０００７】
この第１の発明によれば、テーブルを回転位置保持部によって斜め上がりの回転位置の状態に保持することで、テーブルをシートバックの背裏部との間に雑誌を入れるなどのマガジンラック等として使用できるようになる。このように、テーブルを移動させる機構を利用して、テーブルにマガジンラック等の別の機能をさせることができ、テーブルの利便性を向上させることができる。
【０００８】
第２の発明は、上述した第１の発明において、次の構成とされているものである。テーブル移動機構が、更に、テーブルのベースに対する高さ方向の位置を変えることのできる上下移動機構を有する。回転機構が、テーブルをシートバックの背裏部から後倒し状に回転させて展開回転位置へと展開させ、テーブルの収納位置が、上下移動機構により展開位置よりも下げられた低位置に設定されている。
【０００９】
この第２の発明によれば、テーブルを使用しやすい高さ位置で展開させられるようにしながらも、テーブルをマガジンラック等として使用しやすい低い位置で斜め上がりの回転位置の状態にして使用することができる。
【００１０】
第３の発明は、上述した第２の発明において、次の構成とされているものである。上下移動機構が、テーブルをベースに対して高さ方向に移動させた任意の位置で止めることのできる高さ位置保持部を有する。
【００１１】
この第３の発明によれば、テーブルの展開位置の他、テーブルのマガジンラック等として使用される斜め上がりの回転位置を、高さ方向に調節できるようになる。
【００１２】
第４の発明は、上述した第２又は第３の発明において、次の構成とされているものである。上下移動機構が、ベースに固定されて高さ方向に延びるスライドレールと、テーブルが取り付けられてスライドレールに沿ってスライド可能となるようガイドされたスライダと、を有する。スライドレールが、シートバックのシート幅方向の中央位置に配置されている。
【００１３】
この第４の発明によれば、スライドレールがシートバックの背裏部から後側に張り出す形に設けられたとしても、スライドレールが後部側座席の着座者の両脚間に配置されて邪魔になりにくくなる。
【００１４】
第５の発明は、上述した第２から第４のいずれかの発明において、次の構成とされているものである。上下移動機構が、テーブルを展開回転位置の状態で高さ方向に位置調節することのできるテーブル使用領域と、テーブル使用領域を越えてテーブルを下側へ移動させることのできるテーブル不使用領域と、を有する。テーブル移動機構が、更に、テーブル不使用領域において回転機構によるテーブルの展開回転を展開回転位置に達する前の途中回転位置までに規制する展開規制部を有する。
【００１５】
この第５の発明によれば、テーブルがテーブル不使用領域となる低位置にある状態では展開回転位置まで展開されないようになるため、テーブルがフットレストと間違って使用される事態を適切に防止することができる。
【００１６】
第６の発明は、上述した第２から第５のいずれかの発明において、次の構成とされているものである。テーブル移動機構が、更に、テーブルが収納回転位置にある状態では上下移動機構によるテーブルの高さ方向の移動を規制し、テーブルが収納回転位置から展開方向に回されることにより高さ方向の移動規制状態を解除するロック部を有する。
【００１７】
この第６の発明によれば、ロック部により、テーブルがシートバックの背裏部に重ね合わされた収納回転位置の状態のまま高さ方向に引き摺られることを適切に防止することができる。
【００１８】
第７の発明は、上述した第１から第６のいずれかの発明において、次の構成とされているものである。乗物用テーブル装置が、更に、テーブルに設けられてテーブルの裏面側から熱放射を行う熱源を有する。
【００１９】
この第７の発明によれば、テーブル移動機構によってテーブルの位置を変えることを通じて、テーブルの裏面側から熱放射を行う熱源の使用位置を適切に変えることができる。
【図面の簡単な説明】
【００２０】
【図１】実施例１の乗物用テーブル装置の概略構成を表した斜視図である。
【図２】テーブルが収納位置にある状態を表した斜視図である。
【図３】テーブルが展開位置に展開された状態を表した斜視図である。
【図４】テーブルの移動形態をまとめて表した側面図である。
【図５】図２の状態におけるテーブル移動機構を可視化して表した斜視図である。
【図６】テーブル移動機構の分解斜視図である。
【図７】図６を反対側から見た分解斜視図である。
【図８】テーブル移動機構の拡大斜視図である。
【図９】図８を反対側から見た拡大斜視図である。
【図１０】図２の側面図である。
【図１１】図１０からテーブルを途中回転位置まで後傾させた状態を表した側面図である。
【図１２】図１１の時の展開規制部の状態を表した模式図である。
【図１３】図１２からテーブルの高さ位置をテーブル使用領域まで引き上げた状態を表した模式図である。
【図１４】図１３からテーブルを展開位置へと回転させた状態を表した模式図である。
【図１５】図１４の時の展開規制部の状態を表した模式図である。
【図１６】図１０の時のロック部の状態を表した模式図である。
【図１７】図１６からテーブルを後傾させることによってロック部がロック解除された状態を表した模式図である。
【図１８】実施例２の乗物用テーブル装置の概略構成を表した斜視図である。
【図１９】テーブルが展開位置に展開された状態を表した斜視図である。
【図２０】図１８の側面図である。
【図２１】図２０から支持アームを後傾させた状態を表した側面図である。
【図２２】図２１からテーブルの高さ位置をテーブル使用領域まで引き上げた状態を表した側面図である。
【図２３】図２２からテーブルを展開位置へと回転させた状態を表した側面図である。
【発明を実施するための形態】
【００２１】
以下に、本発明を実施するための形態について、図面を用いて説明する。
【実施例１】
【００２２】
《テーブル装置１の概略構成について》
始めに、実施例１のテーブル装置１（乗物用テーブル装置）の構成について、図１〜図１７を用いて説明する。なお、以下の説明において、前後上下左右等の各方向を示す場合には、各図中に示されたそれぞれの方向を指すものとする。また、「シート幅方向」と示す場合には、シート１００の左右方向を指し、「シート高さ方向」と示す場合には、シート１００の上下方向を指し、「シート前後方向」と示す場合には、シート１００の前後方向を指すものとする。
【００２３】
本実施例のテーブル装置１は、図１に示すように、自動車の前部側座席として設けられたシート１００（乗物用シート）のシートバック１１０の背裏部１１１に設けられている。ここで、上述したシートバック１１０の背裏部１１１が本発明の「ベース」に相当する。上述したテーブル装置１は、上述したシートバック１１０の背裏部１１１から後側に略水平状に張り出す形となって設けられるテーブル２と、同テーブル２をシートバック１１０の背裏部１１１に重ね合わせ状に収納した収納位置Ｐ１と同収納位置Ｐ１から後側に略水平状に張り出させる形に展開させた展開位置Ｐ２との間で移動させることのできるテーブル移動機構３と、を有した構成とされている。
【００２４】
具体的には、上述したテーブル２は、略平板状の横長なテーブル面を有する構成とされて、上述したシートバック１１０の背裏部１１１におけるシート幅方向の中央位置にテーブル移動機構３を介して収納展開可能に連結された状態とされている。上述したテーブル移動機構３は、上述したテーブル２を、シートバック１１０の背裏部１１１に対して、上方側領域となるテーブル使用領域Ａ１（以下、「使用領域Ａ１」とする。）と、下方側領域となるテーブル不使用領域Ａ２（以下、「不使用領域Ａ２」とする。）と、の間でシート高さ方向に移動させることのできる上下移動機構１０を有する。また、上述したテーブル移動機構３は、上述したテーブル２を、シートバック１１０の背裏部１１１に対して、上述した収納位置Ｐ１に対応する収納回転位置Ｐａと、展開位置Ｐ２に対応する展開回転位置Ｐｂと、の間で起倒回転させることのできる回転機構２０を有する。
【００２５】
ここで、上述したテーブル２には、その裏面部にパネルヒータ２Ａが埋め込まれている。上記構成により、上述したテーブル２は、上述したテーブル移動機構３によって動かされたそれぞれの位置で、その裏面側のパネルヒータ２Ａから放射される輻射熱を、不図示の後部側座席に座る着座者の脚部に向けて広く適切に当てることができるようになっている。
【００２６】
上述したテーブル移動機構３は、具体的には、上述した不図示の後部側座席に座る着座者等の使用者がテーブル２を直接手で掴んでシートバック１１０の背裏部１１１から後側に倒し込むように回転操作したり前側に起し上げるように回転操作したりすることにより、上述したテーブル２を上述した収納回転位置Ｐａと展開回転位置Ｐｂとの間で回転操作することができるようになっている。
【００２７】
また、上述したテーブル移動機構３は、上記と同様に使用者がテーブル２を直接手で掴んでシートバック１１０の背裏部１１１に沿って上側に引き上げるように操作したり下側に落とし込むように操作したりすることにより、テーブル２を上述した不使用領域Ａ２と使用領域Ａ１との間でシート高さ方向に自由にスライド操作することができるようになっている。その際、上述したテーブル移動機構３は、図２の実線状態で示すように、テーブル２がシートバック１１０の背裏部１１１に沿う形に折り畳まれた収納回転位置Ｐａの状態にある時には、使用者によってテーブル２に上げ下げされる方向の力が加えられても、後述するロック部２４の作用により、テーブル２を上げ下げできない状態に操作規制されるようになっている。
【００２８】
しかし、上述したテーブル移動機構３は、上述したテーブル２が使用者によって上述した収納回転位置Ｐａから図４の仮想線状態で示すシートバック１１０の背裏部１１１との間に上向きに開口する隙間Ｔの形成される斜め上がりの回転位置Ｐｃまで後側に傾倒されることにより、上述したロック部２４のロック作用が解かれて、テーブル２を上げ下げすることのできる状態へと切り換えられるようになっている。その際、上述したテーブル移動機構３は、テーブル２が不使用領域Ａ２の高さ位置にある時には、後述する展開規制部２３の作用により、テーブル２の後側への傾倒回転が、上述した斜め上がりの回転位置Ｐｃまでしか行えないように規制されて、水平姿勢まで倒し込むことができない状態とされるようになっている。
【００２９】
このような構成とされていることにより、テーブル移動機構３は、テーブル２がシートバック１１０の下方側領域となる不使用領域Ａ２にある状態において、後部側座席に座る着座者がフットレストと誤ってテーブル２に足を載せるといった誤使用が起こらないようにすることができるようになっている。また、上述したテーブル移動機構３は、上記のようにテーブル２をシートバック１１０の下方側領域となる不使用領域Ａ２において斜め上がりの回転位置Ｐｃに保持することができるようになっていることにより、テーブル２をシートバック１１０の背裏部１１１との間の隙間Ｔ内に雑誌を入れて後凭れ状に立て掛けておくことのできるマガジンラック（使用高さの調整可能なマガジンラック）としても使用することができるようになっている。
【００３０】
上述したテーブル移動機構３は、上記のようにテーブル２がロック部２４の作用によって収納回転位置Ｐａの状態から上げ下げできないようになっていることにより、テーブル２の上げ下げ時におけるテーブル２とシートバック１１０の背裏部１１１との間の強干渉に伴う擦れを防止して、テーブル２をスムーズに上げ下げすることができるようになっている。上述したテーブル移動機構３は、図１に示すように、上述したテーブル２が斜め上がりの回転位置Ｐｃに後傾された姿勢で使用領域Ａ１まで引き上げられることにより、上述した展開規制部２３が機能しない状態へと切り換えられて、テーブル２を斜め上がりの回転位置Ｐｃから水平姿勢となる展開回転位置Ｐｂまで後側に傾倒回転させられる状態となる。
【００３１】
また、上述したテーブル移動機構３は、上記のようにテーブル２を使用領域Ａ１まで引き上げた状態では、図３に示すように、テーブル２を展開回転位置Ｐｂへと傾倒させた使用位置（展開位置Ｐ２）を、使用領域Ａ１内でシート高さ方向に自由に調整することができるようになっている。このように、上述したテーブル移動機構３は、図４に示すように、上述したテーブル２を不使用領域Ａ２と使用領域Ａ１との間でシート高さ方向に自由に移動させたり、不使用領域Ａ２ではテーブル２を収納回転位置Ｐａと斜め上がりの回転位置Ｐｃとの間で自由に展開収納回転させられるようにし、使用領域Ａ１ではテーブル２を収納回転位置Ｐａと展開回転位置Ｐｂとの間で自由に展開収納回転させられるようにしたりすることができるようになっている。なお、上述した斜め上がりの回転位置Ｐｃが本発明の「斜め上がりの回転位置」及び「途中回転位置」に相当する。
【００３２】
《テーブル移動機構３の構成について》
以下、上述したテーブル移動機構３を構成する上下移動機構１０及び回転機構２０の各部の具体的な構成について説明する。
【００３３】
《上下移動機構１０の構成について》
先ず、上下移動機構１０の構成について説明する。上下移動機構１０は、図５〜図７に示すように、シート高さ方向にストレート状に延びるスライドレール１１と、スライドレール１１に対してシート高さ方向にのみスライド可能となる状態に組み付けられたスライダ１２と、スライドレール１１と横並び状に設けられたシート高さ方向にストレート状に延びるラック１３と、上述したスライダ１２に一体的に組み付けられると共に上述したラック１３のシート高さ方向に並ぶ歯面１３Ａにギア１４Ａが噛合された状態とされたブレーキユニット１４と、を有する。
【００３４】
上述したスライダ１２には、後述する回転機構２０を介してテーブル２が組み付けられている。上記構成により、スライダ１２は、テーブル２が上げ下げされる動きに伴ってスライドレール１１に沿ってシート高さ方向に移動し、テーブル２をシート高さ方向に真っ直ぐ移動案内するようになっている。上述したスライダ１２は、上述したテーブル２の上げ下げ操作が行われていない状態では、上述したラック１３に噛合しているブレーキユニット１４のブレーキ作用によって、スライドレール１１に対して位置固定された状態として保持されるようになっている。
【００３５】
しかし、上述したスライダ１２は、上述したテーブル２が使用者によって上げ下げされるように操作されることにより、上述したブレーキユニット１４のブレーキ作用が解除されて、ブレーキユニット１４のギア１４Ａをラック１３の歯面１３Ａに沿って噛合回転させながら、スライドレール１１に沿ってシート高さ方向に移動していくようになっている。そして、上述したスライダ１２は、上述した使用者によるテーブル２の上げ下げ操作から手が離されることにより、上述したブレーキユニット１４のブレーキ作用によって、その上げ下げ操作された位置にて再び位置固定された状態となって保持されるようになっている。
【００３６】
《回転機構２０の構成について》
回転機構２０は、図６〜図９に示すように、上述した上下移動機構１０のスライダ１２に一体的に組み付けられた取付板２１と、取付板２１にテーブル２を回転可能にヒンジ連結するヒンジユニット２２と、取付板２１に組み付けられてテーブル２の展開回転を規制したり解除したりする展開規制部２３と、取付板２１に組み付けられてテーブル２の回転位置に応じてスライダ１２の上下移動をロックしたり解除したりするロック部２４と、を有する。
【００３７】
上述した取付板２１は、シート前後方向に面を向ける略平板状の横長な部材によって構成されている。上述した取付板２１は、上述したスライダ１２の後側面部に一体的に締結されて取り付けられている。
【００３８】
《ヒンジユニット２２の構成について》
ヒンジユニット２２は、上述した取付板２１の後側面部に一体的に締結された基台２２Ａと、テーブル２の図示下端側の縁部に一体的に締結された回転台２２Ｂと、回転台２２Ｂを基台２２Ａに対して回転可能に軸連結するシート幅方向に延びる回転軸２２Ｃと、によって構成されている。上述した回転台２２Ｂの左右両端部には、前下側に向かって略Ｌ字状に折れ曲がった形となって延び出す延出アーム２２Ｂ１が一体的に形成されている。上述した各延出アーム２２Ｂ１は、上述した取付板２１の左右両端部に形成されたシート高さ方向にストレート状に延びる形に貫通する長孔２１Ａ内にそれぞれ後側から差し込まれた状態にセットされている（図１２参照）。ここで、上述した回転軸２２Ｃが本発明の「シート幅方向に延びる軸」に相当する。
【００３９】
上述した各延出アーム２２Ｂ１は、上述したテーブル２が図１０に示すようにシートバック１１０の背裏部１１１に沿う形に折り畳まれた収納回転位置Ｐａの状態にある時には、図１２の仮想線状態で示すように、各長孔２１Ａ内における下端部に位置するようになっている。そして、各延出アーム２２Ｂ１は、上述したテーブル２が上述したヒンジユニット２２の回転軸２２Ｃを中心に図１１に示すようにシートバック１１０の背裏部１１１から後側に傾倒する動きにより、図１２の実線状態で示すように、各長孔２１Ａ内を上側に向かって移動していく。
【００４０】
その際、各延出アーム２２Ｂ１は、図１１に示すようにテーブル２がシートバック１１０の下方側領域となる不使用領域Ａ２の状態にある時には、図１２に示すように後述する展開規制部２３の各規制リンク２３Ａが各長孔２１Ａの延び方向の途中箇所を塞ぐ形に張り出した状態として設けられるようになっていることから、これら規制リンク２３Ａに下側から当たって係止される位置までしか上側に移動できないようになっている。上記規制により、図１１に示すように、テーブル２が、シートバック１１０の下方側領域となる不使用領域Ａ２の状態にある時には、その収納回転位置Ｐａからの後側への傾倒回転が斜め上がりの回転位置Ｐｃまでしか行えないように規制されるようになっている。
【００４１】
しかし、図１２で上述した各延出アーム２２Ｂ１の展開規制部２３による移動規制は、図１３に示すようにテーブル２がシートバック１１０の上方側領域となる使用領域Ａ１まで引き上げられることにより解除されるようになっている。上記解除により、テーブル２は、上述した斜め上がりの回転位置Ｐｃから更に後側へと傾倒回転することのできる状態となる。したがって、図１４に示すように、テーブル２を更に後側へと傾倒回転させることにより、テーブル２がシートバック１１０の背裏部１１１から後側に略水平状に張り出す形に倒し込まれた展開回転位置Ｐｂの状態へと切り換えられる。
【００４２】
具体的には、上記テーブル２がシートバック１１０の上方側領域となる使用領域Ａ１まで引き上げられることにより、図１５の実線状態で示すように上述した各長孔２１Ａの途中箇所を塞いでいた各規制リンク２３Ａが各長孔２１Ａの形成領域外へと退けられる形に動かされるようになっている。上記移動により、各延出アーム２２Ｂ１が各長孔２１Ａ内における上端部まで移動することができる状態となるため、図１４で上述したようにテーブル２を展開回転位置Ｐｂまで傾倒させる移動が可能となる。上述したテーブル２は、図１４に示す展開回転位置Ｐｂまで傾倒されることにより、図１５の実線状態で示すように各延出アーム２２Ｂ１が各長孔２１Ａ内の上端部に当たって係止されて、同方向の回転移動が係止されるようになっている。
【００４３】
《展開規制部２３の構成について》
次に、上述した展開規制部２３の具体的な構成について説明する。図６〜図７に示すように、展開規制部２３は、上述した取付板２１の後側面部に回転可能に取り付けられた左右一対の規制リンク２３Ａと、上述したスライドレール１１に一体的に組み付けられたシート高さ方向にストレート状に延びる左右一対のガイドレール２３Ｂと、によって構成されている。
【００４４】
上述した各規制リンク２３Ａは、それぞれ、互いに左右対称向きとなる略Ｌ字状に折れ曲がったリンク形状とされており、それらのＬ字の図示下側に折れ曲がった先の部分が、シート前後方向に延びる回転軸２３Ａ１により、取付板２１の左右２箇所の後側面部に回転可能に軸連結されている。上述した各規制リンク２３Ａは、上述した各回転軸２３Ａ１から図示上方向に延びてＬ字の短辺部分を成すガイドアーム２３Ａ３と、各ガイドアーム２３Ａ３の図示上側に延びた先の端部から図示左側又は右側（シート幅方向の外側）に延びてＬ字の長辺部分を成す規制アーム２３Ａ２と、を有する構成とされている。
【００４５】
上述した各規制リンク２３Ａのガイドアーム２３Ａ３は、図１２に示すように、上述したテーブル２が不使用領域Ａ２の状態にある時に、後述する各ガイドレール２３Ｂの回転規制面２３Ｂ１に横から面当接するように当てられるようになっており、同当たりにより、各規制リンク２３Ａの回転姿勢を、各規制アーム２３Ａ２が各長孔２１Ａの延び方向の途中箇所を塞ぐ回転姿勢とするように規制するものとなっている。また、各規制リンク２３Ａの規制アーム２３Ａ２は、上記のように各長孔２１Ａの延び方向の途中箇所を塞ぐ形に張り出すことで、上述した各延出アーム２２Ｂ１の各長孔２１Ａ内における上側への移動を途中位置までに規制するようになっている。
【００４６】
各ガイドレール２３Ｂは、それぞれ、互いに左右対称向きとなる縦長な平板形状とされており、上述した各規制リンク２３Ａの配置間領域において、各規制リンク２３Ａとシート前後方向の配置が重なる横並び状の形に設けられた状態とされている。上述した各ガイドレール２３Ｂには、それらの各規制リンク２３Ａと面するシート幅方向の外側の側面上に、各規制リンク２３Ａのガイドアーム２３Ａ３を横側から面当接させて、各規制リンク２３Ａの回転姿勢を規制した状態とすることのできる回転規制面２３Ｂ１が形成されている。
【００４７】
上述した各回転規制面２３Ｂ１は、各ガイドレール２３Ｂのシート幅方向の外側の側面における下方側領域、詳しくは、上述したテーブル２が図１０で前述した不使用領域Ａ２の状態にある時に各規制リンク２３Ａが位置することとなるシート高さ方向の領域において、シート高さ方向にストレート状に延びる形となって形成されている。上記構成により、上述した各ガイドレール２３Ｂは、図１２に示すように、上述したテーブル２が不使用領域Ａ２の状態にある時には、各規制リンク２３Ａの回転姿勢を各規制アーム２３Ａ２が各長孔２１Ａの延び方向の途中箇所を塞ぐ回転姿勢となるように規制して、図１１に示したようにテーブル２の展開回転を斜め上がりの回転位置Ｐｃまでに規制するようになっている。
【００４８】
しかし、図１５に示すように、上述した各ガイドレール２３Ｂに形成された回転規制面２３Ｂ１は、テーブル２が図１３で前述した使用領域Ａ１まで持ち上げられた時に各規制リンク２３Ａが位置することとなるシート高さ方向の領域には形成されておらず、これらの領域の各ガイドレール２３Ｂの側面は、各規制リンク２３Ａとは当たらない形に引っ込んだ解放面２３Ｂ２として形成されている。上述した回転規制面２３Ｂ１と解放面２３Ｂ２との間の段差面２３Ｂ３は、直角な段差形状ではなく、傾斜状に落ち込む段差形状とされている。
【００４９】
上記構成により、各規制リンク２３Ａは、図１３で前述したようにテーブル２が使用領域Ａ１まで持ち上げられることにより、図１５に示すように、上述した回転規制面２３Ｂ１による回転姿勢状態から解放されて、各延出アーム２２Ｂ１の各長孔２１Ａ内での移動規制状態を解除するようになっている。それにより、テーブル２が、図１４に示すように、上述した斜め上がりの回転位置Ｐｃを越えて略水平姿勢となる展開回転位置Ｐｂまで回転できる状態となる。
【００５０】
また、上述した各規制リンク２３Ａは、上述したテーブル２が上述した手順とは逆に使用領域Ａ１において展開回転位置Ｐｂへと展開された状態から斜め上がりの回転位置Ｐｃへと戻されて不使用領域Ａ２へと落とし込まれることにより、図１５に示された状態から段差面２３Ｂ３との当たりを経て図１２に示される状態、すなわち、各回転規制面２３Ｂ１との当たりによって各長孔２１Ａの延び方向の途中箇所を塞いだ回転姿勢に戻されて規制された状態として保持されるようになっている。
【００５１】
《ロック部２４の構成について》
ロック部２４は、図６〜図７、図１２及び図１５に示すように上述した取付板２１の後側面部に回転可能に取り付けられた操作リンク２４Ａと、図１６に示すように取付板２１の前側面部に回転可能に取り付けられると共に操作リンク２４Ａに連動可能に係合されたロックカム２４Ｂと、図６〜図７、図１２及び図１５に示すように上述したヒンジユニット２２の回転台２２Ｂに組み付けられて取付板２１に形成されたシート高さ方向にストレート状に延びる形に貫通する通し孔２１Ｂ内に先端が差し込まれたトーションバネ２４Ｃと、を有する構成とされている。
【００５２】
上述した操作リンク２４Ａは、図１２に示すように、シート幅方向に延びるリンク形状とされており、そのシート幅方向の中央箇所より左側寄りの中間箇所が、シート前後方向に延びる回転軸２４Ａ１により、上述した取付板２１の後側面部における図示左側の規制リンク２３Ａの下方側位置に回転可能に軸連結されている。ロックカム２４Ｂは、図１６に示すように、シート幅方向に延びる回転軸２４Ｂ１により、上述した取付板２１の前側面部に回転可能に軸連結されている。
【００５３】
上述したロックカム２４Ｂは、その回転軸２４Ｂ１から上方向に延び出して回転軸２４Ｂ１を中心とした前回り方向の回転により上述したラック１３の歯面１３Ａに噛合したり（図１７参照）その反対回りの回転により噛合から外されたり（図１６参照）するロック爪２４Ｂ２と、回転軸２４Ｂ１から後方向に延び出して操作リンク２４Ａの右側端部に形成されたスリット２４Ａ２内に差し込まれることで操作リンク２４Ａの回転に追従できる形に掛け合わされた掛合爪２４Ｂ３と、を有する構成とされている。
【００５４】
トーションバネ２４Ｃは、図１２の仮想線状態に示すように、上述したテーブル２が収納回転位置Ｐａの状態に折り畳まれている時には、その通し孔２１Ｂ内に差し込まれている先端部分を同通し孔２１Ｂ内における下端部に位置させた状態として、同先端部分により操作リンク２４Ａの回転軸２４Ａ１から左側に延び出すアーム部分を下側に押圧した状態として保持するようになっている。上記トーションバネ２４Ｃによる押圧により、操作リンク２４Ａが回転軸２４Ａ１を中心に図示反時計回り方向に回転操作されて、ロックカム２４Ｂが図１６に示すように回転軸２４Ｂ１の回りに前回り方向に回転操作されてそのロック爪２４Ｂ２をラック１３の歯面１３Ａに噛合させた状態として保持されるようになっている。
【００５５】
上記ロック爪２４Ｂ２のラック１３に対する噛合により、テーブル２は、上述した収納回転位置Ｐａの状態にある時には、ラック１３に対するシート高さ方向のスライド移動が規制された状態として、使用者によって上げ下げされるように操作されても動かされない状態として保持されるようになっている。上述したロックカム２４Ｂは、図１２の実線状態に示すように、上述したテーブル２が収納回転位置Ｐａから斜め上がりの回転位置Ｐｃまで展開されることにより、図１７に示すように、上述した操作リンク２４Ａを介してラック１３の歯面１３Ａに対する噛合状態から外されるように操作されるようになっている。
【００５６】
具体的には、図１２の実線状態に示すように、上述したテーブル２が収納回転位置Ｐａから斜め上がりの回転位置Ｐｃまで展開されることにより、上述したトーションバネ２４Ｃの通し孔２１Ｂ内に差し込まれている先端部分が上方側へと動かされて、同トーションバネ２４Ｃにより操作リンク２４Ａが押し下げられていた操作状態が解除される。これにより、操作リンク２４Ａが自重作用によって回転軸２４Ａ１を中心に図示時計回り方向に回されて、図１７に示すように、ロックカム２４Ｂがラック１３の歯面１３Ａに対する噛合状態から外されるように操作される。したがって、上記解除により、図１３に示すように、テーブル２を斜め上がりの回転位置Ｐｃの状態で上げ下げすることができる状態となる。
【００５７】
《まとめ》
以上をまとめると、本実施例のテーブル装置１は次のような構成となっている。すなわち、乗物用シート（１００）のシートバック（１１０）の背裏部（１１１）から後側に略水平状に張り出す形となって使用されるテーブル（２）と、テーブル（２）をシートバック（１１０）の背裏部（１１１）に重ね合わせ状に収納した収納位置（Ｐ１）と収納位置（Ｐ１）から後側に回転させて略水平状に張り出させる形に展開した展開位置（Ｐ２）との間で移動させることのできるテーブル移動機構（３）と、を有する乗物用テーブル装置（１）である。
【００５８】
テーブル移動機構（３）は、テーブル（２）を乗物用シート（１００）に取り付けられたベース（１１１）に対してシート幅方向に延びる軸（２２Ｃ）回りに回転させて収納位置（Ｐ１）に対応する収納回転位置（Ｐａ）と展開位置（Ｐ２）に対応する展開回転位置（Ｐｂ）とに切り換えることのできる回転機構（２０）を有する。回転機構（２０）が、テーブル（２）を展開回転位置（Ｐｂ）よりも前側に斜めに起し上げてシートバック（１１０）の背裏部（１１１）との間に上向きに開口する隙間（Ｔ）の形成される斜め上がりの回転位置（Ｐｃ）に保持することのできる回転位置保持部（２３）を有する。
【００５９】
このような構成とされていることにより、テーブル（２）を回転位置保持部（２３）によって斜め上がりの回転位置（Ｐｃ）の状態に保持することで、テーブル（２）をシートバック（１１０）の背裏部（１１１）との間に雑誌を入れるなどのマガジンラック等として使用できるようになる。このように、テーブル（２）を移動させる機構を利用して、テーブル（２）にマガジンラック等の別の機能をさせることができ、テーブル（２）の利便性を向上させることができる。
【００６０】
また、テーブル移動機構（３）が、更に、テーブル（２）のベース（１１１）に対する高さ方向の位置を変えることのできる上下移動機構（１０）を有する。回転機構（２０）が、テーブル（２）をシートバック（１１０）の背裏部（１１１）から後倒し状に回転させて展開回転位置（Ｐｂ）へと展開させ、テーブル（２）の収納位置（Ｐ１）が、上下移動機構（１０）により展開位置（Ｐ２）よりも下げられた低位置に設定されている。
【００６１】
このような構成とされていることにより、テーブル（２）を使用しやすい高さ位置で展開させられるようにしながらも、テーブル（２）をマガジンラック等として使用しやすい低い位置で斜め上がりの回転位置（Ｐｃ）の状態にして使用することができる。
【００６２】
また、上下移動機構（１０）が、テーブル（２）をベース（１１１）に対して高さ方向に移動させた任意の位置で止めることのできる高さ位置保持部（１４）を有する。このような構成とされていることにより、テーブル（２）の展開位置（Ｐ２）の他、テーブル（２）のマガジンラック等として使用される斜め上がりの回転位置（Ｐｃ）を、高さ方向に調節できるようになる。
【００６３】
また、上下移動機構（１０）が、ベース（１１１）に固定されて高さ方向に延びるスライドレール（１１）と、テーブル（２）が取り付けられてスライドレール（１１）に沿ってスライド可能となるようガイドされたスライダ（１２）と、を有する。スライドレール（１１）が、シートバック（１１０）のシート幅方向の中央位置に配置されている。
【００６４】
このような構成とされていることにより、スライドレール（１１）がシートバック（１１０）の背裏部（１１１）から後側に張り出す形に設けられたとしても、スライドレール（１１）が後部側座席の着座者の両脚間に配置されて邪魔になりにくくなる。
【００６５】
また、上下移動機構（１０）が、テーブル（２）を展開回転位置（Ｐｂ）の状態で高さ方向に位置調節することのできるテーブル使用領域（Ａ１）と、テーブル使用領域（Ａ１）を越えてテーブル（２）を下側へ移動させることのできるテーブル不使用領域（Ａ２）と、を有する。テーブル移動機構（３）が、更に、テーブル不使用領域（Ａ２）において回転機構（２０）によるテーブル（２）の展開回転を展開回転位置（Ｐｂ）に達する前の途中回転位置（Ｐｃ）までに規制する展開規制部（２３）を有する。
【００６６】
このような構成とされていることにより、テーブル（２）がテーブル不使用領域（Ａ２）となる低位置にある状態では展開回転位置（Ｐｂ）まで展開されないようになるため、テーブル（２）がフットレストと間違って使用される事態を適切に防止することができる。
【００６７】
また、テーブル移動機構（３）が、更に、テーブル（２）が収納回転位置（Ｐａ）にある状態では上下移動機構（１０）によるテーブル（２）の高さ方向の移動を規制し、テーブル（２）が収納回転位置（Ｐａ）から展開方向に回されることにより高さ方向の移動規制状態を解除するロック部（２４）を有する。
【００６８】
このような構成とされていることにより、ロック部（２４）により、テーブル（２）がシートバック（１１０）の背裏部（１１１）に重ね合わされた収納回転位置（Ｐａ）の状態のまま高さ方向に引き摺られることを適切に防止することができる。
【００６９】
また、乗物用テーブル装置（１）が、更に、テーブル（２）に設けられてテーブル（２）の裏面側から熱放射を行う熱源（２Ａ）を有する。
【００７０】
このような構成とされていることにより、テーブル移動機構（３）によってテーブル（２）の位置を変えることを通じて、テーブル（２）の裏面側から熱放射を行う熱源（２Ａ）の使用位置を適切に変えることができる。
【実施例２】
【００７１】
《テーブル装置１の概略構成について》
続いて、実施例２のテーブル装置１（乗物用テーブル装置）の構成について、図１８〜図２３を用いて説明する。本実施例のテーブル装置１では、図１８〜図１９に示すように、テーブル２をシートバック１１０の背裏部１１１に重ね合わせ状に収納した収納位置Ｐ１（図１８参照）と同収納位置Ｐ１から後側に略水平状に張り出させる形に展開させた展開位置Ｐ２（図１９参照）との間で移動させることのできるテーブル移動機構３が、更に、シートバック１１０の背裏部１１１に対して前後方向に傾動可能にヒンジ連結された傾動板１５を有する構成とされている。ここで、上述した傾動板１５が本発明の「ベース」に相当する。
【００７２】
上述した傾動板１５は、その下端部がシート幅方向に延びる回転軸１５Ａにより、上述したシートバック１１０の背裏部１１１に回転可能に軸連結されている。上記連結により、上述した傾動板１５は、図２０に示すようにシートバック１１０の背裏部１１１に重ね合わせ状に折り畳まれた状態と、図２１に示すように下端側の回転軸１５Ａを中心にシートバック１１０の背裏部１１１から後傾する形に引き出された状態と、の間で前後方向に傾動することができるようになっている。上述した傾動板１５の傾動操作は、同傾動板１５に取り付けられたテーブル２を不図示の後部側座席に座る着座者等の使用者が直接手で掴んでシートバック１１０の背裏部１１１から後側に倒し込むように回転操作したり前側に起し上げるように回転操作したりすることにより行うことができるようになっている。
【００７３】
上述した傾動板１５には、実施例１で示した構成と実質的に同じ構成を持つ上下移動機構１０及び回転機構２０が組み付けられて、これらを介してテーブル２が組み付けられている。上述したテーブル移動機構３は、図２１に示すように上述した傾動板１５をシートバック１１０の背裏部１１１から後傾させた後、図２２に示すようにテーブル２を傾動板１５に対して不使用領域Ａ２から使用領域Ａ１へと引き上げるようにスライドさせ、図２３に示すようにテーブル２を略水平姿勢となる展開回転位置Ｐｂへと展開させることにより、テーブル２を不図示の後部側座席に座る着座者に近付けた位置に展開させることができる。
【００７４】
上記以外の構成については、実施例１で示した構成と実質的に同じ構成となっているため、同一の符号を付して説明を省略することとする。なお、本実施例のテーブル移動機構３は、傾動板１５がシートバック１１０の背裏部１１１から後側に傾倒された位置でテーブル２の上げ下げ操作が行われるようになっているため、テーブル２とシートバック１１０の背裏部１１１とが擦れ合うおそれがないことから、実施例１で示したロック部（２４）に相当する構成を持たないものとなっている。
【００７５】
《その他の実施形態について》
以上、本発明の実施形態を２つの実施例を用いて説明したが、本発明は上記実施例のほか各種の形態で実施することができるものである。例えば、本発明の乗物用テーブル装置に係る構成は、鉄道等の自動車以外の車両の他、航空機や船舶等の様々な乗物用に供されるテーブル装置としても広く適用することができるものである。
【００７６】
また、上記各実施例では、テーブルを斜め上がりの回転位置に保持するための回転位置保持部として、テーブルの不使用領域での展開角度を途中回転位置までに規制する展開規制部により構成したものを例示したが、回転位置保持部は、展開規制部とは別の構成から成るものであってもよい。また、回転位置保持部と展開規制部とが互いに別々の構成から成る場合には、各々の保持（規制）角度は互いに異なるものであってもよい。
【００７７】
また、テーブル移動機構は、手動式の他、電動式の構成であってもよい。また、テーブルの下面側から熱放射を行う熱源は、パネルヒータ等の暖房器具の他、冷房器具であってもよい。また、上記熱源は、テーブルに内蔵されるものの他、テーブルに外付けされる構成であってもよい。
【符号の説明】
【００７８】
１      テーブル装置（乗物用テーブル装置）
２      テーブル
２Ａ    パネルヒータ（熱源）
３      テーブル移動機構
１０    上下移動機構
１１    スライドレール
１２    スライダ
１３    ラック
１３Ａ  歯面
１４    ブレーキユニット（高さ位置保持部）
１４Ａ  ギア
１５    傾動板（ベース）
１５Ａ  回転軸
２０    回転機構
２１    取付板
２１Ａ  長孔
２１Ｂ  通し孔
２２    ヒンジユニット
２２Ａ  基台
２２Ｂ  回転台
２２Ｂ１  延出アーム
２２Ｃ  回転軸（シート幅方向に延びる軸）
２３    展開規制部（回転位置保持部）
２３Ａ  規制リンク
２３Ａ１  回転軸
２３Ａ２  規制アーム
２３Ａ３  ガイドアーム
２３Ｂ  ガイドレール
２３Ｂ１  回転規制面
２３Ｂ２  解放面
２３Ｂ３  段差面
２４    ロック部
２４Ａ  操作リンク
２４Ａ１  回転軸
２４Ａ２  スリット
２４Ｂ  ロックカム
２４Ｂ１  回転軸
２４Ｂ２  ロック爪
２４Ｂ３  掛合爪
２４Ｃ  トーションバネ
Ｐ１    収納位置
Ｐ２    展開位置
Ｐａ    収納回転位置
Ｐｂ    展開回転位置
Ｐｃ    斜め上がりの回転位置（途中回転位置）
Ｔ      隙間
Ａ１    テーブル使用領域
Ａ２    テーブル不使用領域
１００  シート（乗物用シート）
１１０  シートバック
１１１  背裏部（ベース）
【図１】
2019048506.tif 000003
【図２】
2019048506.tif 000004
【図３】
2019048506.tif 000005
【図４】
2019048506.tif 000006
【図５】
2019048506.tif 000007
【図６】
2019048506.tif 000008
【図７】
2019048506.tif 000009
【図８】
2019048506.tif 000010
【図９】
2019048506.tif 000011
【図１０】
2019048506.tif 000012
【図１１】
2019048506.tif 000013
【図１２】
2019048506.tif 000014
【図１３】
2019048506.tif 000015
【図１４】
2019048506.tif 000016
【図１５】
2019048506.tif 000017
【図１６】
2019048506.tif 000018
【図１７】
2019048506.tif 000019
【図１８】
2019048506.tif 000020
【図１９】
2019048506.tif 000021
【図２０】
2019048506.tif 000022
【図２１】
2019048506.tif 000023
【図２２】
2019048506.tif 000024
【図２３】
2019048506.tif 000025